【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
モビリティ管理エンティティ（ＭＭＥ）のための方法であって、
ワイヤレスネットワークにアクセスするために、ナローバンドモノのインターネット（ＮＢ−ＩｏＴ）無線アクセスまたはセルラモノのインターネット（ＣＩｏＴ）機能を使用しているユーザ機器（ＵＥ）についてのロケーション測定値を受信することと、
前記ロケーション測定値とタイムスタンプとを記憶することと、
前記ＵＥが前記ワイヤレスネットワークに接続されていないときに前記ＵＥに対するロケーション要求を受信することと、
訪問先公衆陸上モバイルネットワーク発展型パケットコア（ＶＰＬＭＮ  ＥＰＣ）による前記ＵＥについてのＣＩｏＴおよびＮＢ−ＩｏＴに適用可能な機能のサポートの前記ＭＭＥによる知識に基づいて、前記ＵＥが前記ワイヤレスネットワークおよび前記ＶＰＬＭＮ ＥＰＣに接続されていないというインジケーションとともにロケーションサーバに前記ロケーション測定値を送信することと、
前記ＵＥについての最後の既知のロケーションを備える応答を前記ロケーションサーバから受信することと
を備える、方法。
【請求項２】
装置であって、
ワイヤレスネットワークにアクセスするために、ナローバンドモノのインターネット（ＮＢ−ＩｏＴ）無線アクセスまたはセルラモノのインターネット（ＣＩｏＴ）機能を使用しているユーザ機器（ＵＥ）についてのロケーション測定値を受信するように構成された外部インターフェースと、
前記ロケーション測定値とタイムスタンプとを記憶するように構成されたメモリと、
前記ＵＥが前記ワイヤレスネットワークに接続されていないときに前記ＵＥに対するロケーション要求を前記外部インターフェースで受信することと、
前記外部インターフェースに、訪問先公衆陸上モバイルネットワーク発展型パケットコア（ＶＰＬＭＮ  ＥＰＣ）による前記ＵＥについてのＣＩｏＴおよびＮＢ−ＩｏＴに適用可能な機能のサポートの前記ＭＭＥによる知識に基づいて、前記ＵＥが前記ワイヤレスネットワークおよび前記ＶＰＬＭＮ ＥＰＣに接続されていないというインジケーションとともにロケーションサーバに前記ロケーション測定値を送信することを行わせることと、
前記ＵＥについての最後の既知のロケーションを備える応答を前記ロケーションサーバから前記外部インターフェースで受信することと
を行うように構成された少なくとも１つのプロセッサと
を備える、装置。
【請求項３】
前記ＵＥについての前記ロケーション測定値は、前記ＵＥが前記ワイヤレスネットワークに接続されている間に前記ＵＥから受信される、請求項１に記載の方法または請求項２に記載の装置。
【請求項４】
前記ＵＥについての前記ロケーション測定値は、前記ＵＥが前記ワイヤレスネットワークに接続されている間にアクセスポイントから受信される、請求項１に記載の方法または請求項２に記載の装置。
【請求項５】
前記ロケーション測定値は、前記ＵＥが前記ワイヤレスネットワークに接続されていた間の、前記ＵＥについての最後の既知のサービングセルＩＤまたは最後の既知のサービングｅノードＢ ＩＤを備える、請求項１に記載の方法または請求項２に記載の装置。
【請求項６】
前記ロケーション測定値は、受信信号強度インジケーション、基準信号受信電力、基準信号受信品質、ラウンドトリップ時間、基準信号時間差、またはその組み合わせのうちの少なくとも１つをさらに備える、請求項５に記載の方法または請求項５に記載の装置。
【請求項７】
ロケーションサーバのための方法であって、
ワイヤレスネットワークにアクセスするために、ナローバンドモノのインターネット（ＮＢ−ＩｏＴ）無線アクセスまたはセルラモノのインターネット（ＣＩｏＴ）機能を使用しているユーザ機器（ＵＥ）に対するロケーション要求を受信することと、ここにおいて、前記ロケーション要求は、前記ＵＥについてのロケーション測定値と前記ＵＥがワイヤレスネットワークおよび訪問先公衆陸上モバイルネットワーク発展型パケットコア（ＶＰＬＭＮ  ＥＰＣ）に接続されていないというインジケーションとを備え、ここにおいて、前記インジケーションは、前記ＶＰＬＭＮ  ＥＰＣによる前記ＵＥについてのＣＩｏＴおよびＮＢ−ＩｏＴに適用可能な機能のサポートの知識に基づいて送信される、
前記ＵＥについての現在のロケーションを取得しようと試みる代わりに、前記ロケーション測定値のみに基づいて前記ＵＥについての最後の既知のロケーションを決定することと、
前記ＵＥについての前記最後の既知のロケーションを備えるロケーション応答を返すことと
を備える、方法。
【請求項８】
ロケーションサーバであって、
ワイヤレスネットワークにアクセスするために、ナローバンドモノのインターネット（ＮＢ−ＩｏＴ）無線アクセスまたはセルラモノのインターネット（ＣＩｏＴ）機能を使用しているユーザ機器（ＵＥ）に対するロケーション要求を受信するように構成された外部インターフェースと、ここにおいて、前記ロケーション要求は、前記ＵＥについてのロケーション測定値と前記ＵＥがワイヤレスネットワークおよび訪問先公衆陸上モバイルネットワーク発展型パケットコア（ＶＰＬＭＮ  ＥＰＣ）に接続されていないというインジケーションとを備え、ここにおいて、前記インジケーションは、前記ＶＰＬＭＮ  ＥＰＣによる前記ＵＥについてのＣＩｏＴおよびＮＢ−ＩｏＴに適用可能な機能のサポートの知識に基づいて送信される、
前記ＵＥについての現在のロケーションを取得しようと試みる代わりに、前記ロケーション測定値のみに基づいて前記ＵＥについての最後の既知のロケーションを決定することと、前記外部インターフェースに、前記ＵＥについての前記最後の既知のロケーションを備えるロケーション応答を返すことを行わせることとを行うように構成された少なくとも１つのプロセッサと
を備える、ロケーションサーバ。
【請求項９】
前記ＵＥについての前記ロケーション測定値は、前記ワイヤレスネットワークに接続するより前に、または前記ワイヤレスネットワークから切断するより前に、前記ＵＥによって取得された、請求項７に記載の方法または請求項８に記載のロケーションサーバ。
【請求項１０】
前記ＵＥについての前記ロケーション測定値は、前記ＵＥが前記ワイヤレスネットワークに接続された後に、および前記ＵＥが前記ワイヤレスネットワークから切断するより前に、アクセスポイントによって取得された、請求項７に記載の方法または請求項８に記載のロケーションサーバ。
【請求項１１】
前記ロケーション測定値は、前記ＵＥがもはや前記ワイヤレスネットワークに接続されなくなる前の、前記ＵＥについての最後の既知のサービングセルＩＤまたは最後の既知のサービングｅノードＢ ＩＤを備える、請求項７に記載の方法または請求項８に記載のロケーションサーバ。
【請求項１２】
前記ロケーション測定値は、受信信号強度インジケーション、基準信号受信電力、基準信号受信品質、ラウンドトリップ時間、基準信号時間差、またはその組み合わせをさらに備える、請求項１１に記載の方法または請求項１１に記載のロケーションサーバ。
【手続補正２】
【補正対象書類名】明細書
【補正対象項目名】０１９５
【補正方法】変更
【補正の内容】
【０１９５】
[00200]したがって、特許請求される主題は、開示された特定の例に限定されないが、そのような特許請求される主題はまた、添付された特許請求の範囲内に含まれる全ての態様およびそれらの同等物を含みうることが意図される。
以下に本願の出願当初の特許請求の範囲に記載された発明を付記する。
［Ｃ１］
方法であって、
ワイヤレスネットワークにアクセスするために、ナローバンドモノのインターネット（ＮＢ−ＩｏＴ）無線アクセスまたはセルラモノのインターネット（ＣＩｏＴ）機能を使用しているユーザ機器（ＵＥ）についてのロケーション測定値を受信することと、
前記ロケーション測定値とタイムスタンプとを記憶することと、
前記ＵＥが前記ワイヤレスネットワークに接続されていないときに前記ＵＥに対するロケーション要求を受信することと、
前記ＵＥが前記ワイヤレスネットワークに接続されていないというインジケーションとともにロケーションサーバに前記ロケーション測定値を送信することと、
前記ＵＥについての最後の既知のロケーションを備える応答を前記ロケーションサーバから受信することと
を備える、方法。
［Ｃ２］
前記ＵＥについての前記ロケーション測定値は、前記ＵＥが前記ワイヤレスネットワークに接続されている間に前記ＵＥから受信される、Ｃ１に記載の方法。
［Ｃ３］
前記ＵＥについての前記ロケーション測定値は、前記ＵＥが前記ワイヤレスネットワークに接続されている間にアクセスポイントから受信される、Ｃ１に記載の方法。
［Ｃ４］
前記ロケーション測定値は、前記ＵＥが前記ワイヤレスネットワークに接続されていた間の、前記ＵＥについての最後の既知のサービングセルＩＤまたは最後の既知のサービングｅノードＢ ＩＤを備える、Ｃ１に記載の方法。
［Ｃ５］
前記ロケーション測定値は、受信信号強度インジケーション、基準信号受信電力、基準信号受信品質、ラウンドトリップ時間、基準信号時間差、またはその組み合わせのうちの少なくとも１つをさらに備える、Ｃ４に記載の方法。
［Ｃ６］
装置であって、
ワイヤレスネットワークにアクセスするために、ナローバンドモノのインターネット（ＮＢ−ＩｏＴ）無線アクセスまたはセルラモノのインターネット（ＣＩｏＴ）機能を使用しているユーザ機器（ＵＥ）についてのロケーション測定値を受信するように構成された外部インターフェースと、
前記ロケーション測定値とタイムスタンプとを記憶するように構成されたメモリと、
前記ＵＥが前記ワイヤレスネットワークに接続されていないときに前記ＵＥに対するロケーション要求を前記外部インターフェースで受信することと、前記外部インターフェースに、前記ＵＥが前記ワイヤレスネットワークに接続されていないというインジケーションとともにロケーションサーバに前記ロケーション測定値を送信することを行わせることと、前記ＵＥについての最後の既知のロケーションを備える応答を前記ロケーションサーバから前記外部インターフェースで受信することとを行うように構成された少なくとも１つのプロセッサと
を備える、装置。
［Ｃ７］
前記ＵＥについての前記ロケーション測定値は、前記ＵＥが前記ワイヤレスネットワークに接続されている間に前記ＵＥから受信される、Ｃ６に記載の装置。
［Ｃ８］
前記ＵＥについての前記ロケーション測定値は、前記ＵＥが前記ワイヤレスネットワークに接続されている間にアクセスポイントから受信される、Ｃ６に記載の装置。
［Ｃ９］
前記ロケーション測定値は、前記ＵＥが前記ワイヤレスネットワークに接続されていた間の、前記ＵＥについての最後の既知のサービングセルＩＤまたは最後の既知のサービングｅノードＢ ＩＤを備える、Ｃ６に記載の装置。
［Ｃ１０］
前記ロケーション測定値は、受信信号強度インジケーション、基準信号受信電力、基準信号受信品質、ラウンドトリップ時間、基準信号時間差、またはその組み合わせのうちの少なくとも１つをさらに備える、Ｃ９に記載の装置。
［Ｃ１１］
方法であって、
ナローバンドモノのインターネット（ＮＢ−ＩｏＴ）無線アクセスまたはセルラモノのインターネット（ＣＩｏＴ）機能を使用しているユーザ機器（ＵＥ）に対するロケーション要求を受信することと、ここにおいて、前記ロケーション要求は、前記ＵＥについてのロケーション測定値と前記ＵＥがワイヤレスネットワークに接続されていないというインジケーションとを備える、
前記ロケーション測定値に基づいて前記ＵＥについての最後の既知のロケーションを決定することと、
前記ＵＥについての前記最後の既知のロケーションを備えるロケーション応答を返すことと
を備える、方法。
［Ｃ１２］
前記ＵＥについての前記ロケーション測定値は、前記ワイヤレスネットワークに接続するより前に、または前記ワイヤレスネットワークから切断するより前に、前記ＵＥによって取得された、Ｃ１１に記載の方法。
［Ｃ１３］
前記ＵＥについての前記ロケーション測定値は、前記ＵＥが前記ワイヤレスネットワークに接続された後に、および前記ＵＥが前記ワイヤレスネットワークから切断するより前に、アクセスポイントによって取得された、Ｃ１１に記載の方法。
［Ｃ１４］
前記ロケーション測定値は、前記ＵＥがもはや前記ワイヤレスネットワークに接続されなくなる前の、前記ＵＥについての最後の既知のサービングセルＩＤまたは最後の既知のサービングｅノードＢ ＩＤを備える、Ｃ１１に記載の方法。
［Ｃ１５］
前記ロケーション測定値は、受信信号強度インジケーション、基準信号受信電力、基準信号受信品質、ラウンドトリップ時間、基準信号時間差、またはその組み合わせをさらに備える、Ｃ１４に記載の方法。
［Ｃ１６］
装置であって、
ナローバンドモノのインターネット（ＮＢ−ＩｏＴ）無線アクセスまたはセルラモノのインターネット（ＣＩｏＴ）機能を使用しているユーザ機器（ＵＥ）に対するロケーション要求を受信するように構成された外部インターフェースと、ここにおいて、前記ロケーション要求は、前記ＵＥについてのロケーション測定値と前記ＵＥがワイヤレスネットワークに接続されていないというインジケーションとを備える、
前記ロケーション測定値に基づいて前記ＵＥについての最後の既知のロケーションを決定することと、前記外部インターフェースに、前記ＵＥについての前記最後の既知のロケーションを備えるロケーション応答を返すことを行わせることとを行うように構成された少なくとも１つのプロセッサと
を備える、装置。
［Ｃ１７］
前記ＵＥについての前記ロケーション測定値は、前記ワイヤレスネットワークに接続するより前に、または前記ワイヤレスネットワークから切断するより前に、前記ＵＥによって取得された、Ｃ１６に記載の装置。
［Ｃ１８］
前記ＵＥについての前記ロケーション測定値は、前記ＵＥが前記ワイヤレスネットワークに接続された後に、および前記ＵＥが前記ワイヤレスネットワークから切断するより前に、アクセスポイントによって取得された、Ｃ１６に記載の装置。
［Ｃ１９］
前記ロケーション測定値は、前記ＵＥがもはや前記ワイヤレスネットワークに接続されなくなる前の、前記ＵＥについての最後の既知のサービングセルＩＤまたは最後の既知のサービングｅノードＢ ＩＤを備える、Ｃ１６に記載の装置。
［Ｃ２０］
前記ロケーション測定値は、受信信号強度インジケーション、基準信号受信電力、基準信号受信品質、ラウンドトリップ時間、基準信号時間差、またはその組み合わせをさらに備える、Ｃ１９に記載の装置。
［Ｃ２１］
方法であって、
ユーザ機器（ＵＥ）がナローバンドモノのインターネット（ＮＢ−ＩｏＴ）無線アクセスまたはセルラモノのインターネット（ＣＩｏＴ）機能を使用しているというインジケーションをロケーションサーバによって受信することと、
前記ＵＥがＮＢ−ＩＯＴ無線アクセスまたはＣＩｏＴ機能を使用しているという前記インジケーションに応答して、前記ＵＥとの測位インタラクションを限定することと、ここにおいて、前記測位インタラクションを限定することは、低減された最大測位メッセージサイズを使用すること、より長い再送信および応答タイマを使用すること、制限されたサイズの支援データを使用すること、または前記ＵＥに低減された数のロケーション測定値を要求することのうちの少なくとも１つを備え、各々は、非ＮＢ−ＩｏＴ無線アクセスおよび非ＣＩｏＴ機能を有する別のＵＥのための測位インタラクションに対する、
を備える、方法。
［Ｃ２２］
前記インジケーションを受信することは、モビリティ管理エンティティ（ＭＭＥ）または外部クライアントからロケーション要求メッセージを受信することを備え、前記ロケーション要求メッセージは、前記インジケーションを備える、Ｃ２１に記載の方法。
［Ｃ２３］
前記ロケーションサーバは、ＮＢ−ＩｏＴ無線アクセスまたはＣＩｏＴ機能のための構成パラメータで構成され、前記構成パラメータは、ＮＢ−ＩＯＴ無線アクセスまたはＣＩｏＴ機能を使用しているＵＥのための最大測位メッセージサイズおよび最大の予想されるメッセージ転送遅延、またはそれらの組み合わせのうちの少なくとも１つを備える、Ｃ２１に記載の方法。
［Ｃ２４］
前記インジケーションは、前記ＵＥに対してサポートされているＮＢ−ＩｏＴ無線アクセスおよびＣＩｏＴ機能の態様を備え、前記ＵＥに対してサポートされているＮＢ−ＩｏＴ無線アクセスおよびＣＩｏＴ機能の前記態様は、最大測位メッセージサイズ、最大メッセージ量、最大の予想されるメッセージ転送遅延、またはそれらの組み合わせのうちの少なくとも１つを備える、Ｃ２１に記載の方法。
［Ｃ２５］
前記ロケーションサーバは、ＮＢ−ＩｏＴ無線アクセスをサポートする基地局またはセルのインジケーションを備える基地局またはセル構成データで構成され、前記ＵＥがＮＢ−ＩｏＴ無線アクセスまたはＣＩｏＴ機能をサポートするという前記インジケーションを受信することは、前記ＵＥを現在サービングしている基地局またはセルの識別情報を受信することと、前記ＵＥを現在サービングしている前記識別された基地局またはセルがＮＢ−ＩｏＴ無線アクセスをサポートするという、前記基地局またはセル構成データ中のインジケーションに基づいて、前記ＵＥがＮＢ−ＩｏＴ無線アクセスまたはＣＩｏＴ機能を使用していると推論することとを備える、Ｃ２１に記載の方法。
［Ｃ２６］
ロケーションサーバであって、
ユーザ機器（ＵＥ）がナローバンドモノのインターネット（ＮＢ−ＩｏＴ）無線アクセスまたはセルラモノのインターネット（ＣＩｏＴ）機能を使用しているというインジケーションを受信するように構成された外部インターフェースと、
前記ＵＥがＮＢ−ＩＯＴ無線アクセスまたはＣＩｏＴ機能を使用しているという前記インジケーションに応答して、前記ＵＥとの測位インタラクションを限定するように構成された少なくとも１つのプロセッサと、ここにおいて、前記測位インタラクションを限定することは、低減された最大測位メッセージサイズを使用すること、より長い再送信および応答タイマを使用すること、制限されたサイズの支援データを使用すること、または前記ＵＥに低減された数のロケーション測定値を要求することのうちの少なくとも１つを備え、各々は、非ＮＢ−ＩｏＴ無線アクセスおよび非ＣＩｏＴ機能を有する別のＵＥのための測位インタラクションに対する、
を備える、ロケーションサーバ。
［Ｃ２７］
前記インジケーションは、モビリティ管理エンティティ（ＭＭＥ）または外部クライアントからロケーション要求メッセージ中で受信される、Ｃ２６に記載のロケーションサーバ。
［Ｃ２８］
前記少なくとも１つのプロセッサは、ＮＢ−ＩｏＴ無線アクセスまたはＣＩｏＴ機能のための構成パラメータで構成され、前記構成パラメータは、ＮＢ−ＩＯＴ無線アクセスまたはＣＩｏＴ機能を使用しているＵＥのための最大測位メッセージサイズおよび最大の予想されるメッセージ転送遅延、またはそれらの組み合わせのうちの少なくとも１つを備える、Ｃ２６に記載のロケーションサーバ。
［Ｃ２９］
前記インジケーションは、前記ＵＥに対してサポートされているＮＢ−ＩｏＴ無線アクセスおよびＣＩｏＴ機能の態様を備え、前記ＵＥに対してサポートされているＮＢ−ＩｏＴ無線アクセスおよびＣＩｏＴ機能の前記態様は、最大測位メッセージサイズ、最大メッセージ量、最大の予想されるメッセージ転送遅延、またはそれらの組み合わせのうちの少なくとも１つを備える、Ｃ２６に記載のロケーションサーバ。
［Ｃ３０］
前記少なくとも１つのプロセッサは、ＮＢ−ＩｏＴ無線アクセスをサポートする基地局またはセルのインジケーションを備える基地局またはセル構成データで構成され、前記ＵＥがＮＢ−ＩｏＴ無線アクセスまたはＣＩｏＴ機能をサポートするという前記インジケーションを受信することは、前記ＵＥを現在サービングしている基地局またはセルの識別情報を受信することと、前記ＵＥを現在サービングしている前記識別された基地局またはセルがＮＢ−ＩｏＴ無線アクセスをサポートするという、前記基地局またはセル構成データ中のインジケーションに基づいて、前記ＵＥがＮＢ−ＩｏＴ無線アクセスまたはＣＩｏＴ機能を使用していると推論することとを備える、Ｃ２６に記載のロケーションサーバ。